(57)【要約】【課題】  鉄骨の骨組を組み立てる際、柱と梁が競り合って正規の位置とは異なる場合に、その位置関係を修正する。【解決手段】互いに逆向きのネジ方向としたネジ部１３Ｂ、１３Ａを前後２箇所に有する作動ボルト１３と、上記の作動ボルトの前後のネジ部の各々に螺合される一対の移動片２、６からなり、作動ボルトの回転操作用の頭部１４が位置する後方側の移動片の下端に梁部材のボルト孔に挿入可能な係止柱８を突設した工具において、上記係止柱を移動片に対して螺着自在とする共に、螺着のための移動片のネジ孔７Ａ、７Ｂを移動片の前後の複数箇所に設ける。【選択図】      図１
0003113712.tif 000002
【実用新案登録請求の範囲】
【請求項１】
互いに逆向きのネジ方向としたネジ部を前後２箇所に有する作動ボルトと、上記の作動ボルトの前後のネジ部の各々に螺合される一対の移動片からなり、作動ボルトの回転操作用の頭部が位置する後方側の移動片の下端に梁部材のボルト孔に挿入可能な係止柱を突設した工具において、上記係止柱を移動片に対して螺着自在とする共に、螺着のための移動片のネジ孔を移動片の前後の複数箇所に設けたことを特徴とする鉄骨骨組修正用工具。
【請求項２】
外径の異なる複数種の係止柱を移動片に対し螺着自在とした請求項１記載の鉄骨骨組修正用工具。
【請求項３】
前方側の移動片の先端を断面三角状のテーパ面とした請求項１又は２記載の鉄骨骨組修正用工具。
【請求項４】
前方側の移動片の両側面に後方に向かって延長する一対のガイド板を取り付け、後方側の移動片の両側面の上下に上記ガイド板の上下面を挟持しながら転動すべきローラを軸支した請求項１から３の何れかに記載の鉄骨骨組修正用工具。
【考案の詳細な説明】
【技術分野】
【０００１】
この考案は、鉄骨の骨組を組み立てる際、柱と梁が競り合って正規の位置とは異なる場合に、その位置関係を修正するために使用する鉄骨骨組修正用工具に関する。
【背景技術】
【０００２】
構築物において鉄骨の骨組をボルト取りで組み立てていく場合に、溶接の影響で柱が曲がっていると、正規の位置に対して柱と梁が離れすぎたり、逆に競り合ったりしてそのままでは組み立て作業を続行できないことがある。このような場合に従来はレバーブロック等で両者を引き寄せたり、逆に競り合った部分にバールを当てて押し離していた。
【０００３】
前記の場合、レバーブロック等で両者を引き寄せる作業は比較的容易だが、バールで押し離す作業は足場等の問題もあり困難であり、しかも１メートルもある長いバールを高所作業において携帯し、これらを使用することは危険を伴うので安全上好ましくなかった。      
【０００４】
一方、鉄骨造の骨組を構築する際、連結する梁部材が離隔又は競り合う場合に両梁部材の位置関係を修正するために使用する工具として、互いに逆向きのネジ方向としたネジ部を前後２箇所に有する作動ボルトの各ネジ部に一対の移動片を螺合し、作動ボルトの回転操作用の頭部が位置する後方側の移動片の上端と下端に梁部材のボルト孔に挿入可能な係止柱を突設すると共に、前方側の移動片の下端に梁部材のボルト孔に挿入可能な係止柱を突設した工具が本願発明者により提案されていた。
【特許文献１】特開平１１−１１７５３８号公報
【考案の開示】
【考案が解決しようとする課題】
【０００５】
この考案は前記の特許文献１に開示の工具の改良創作に関するものであり、機能を柱と梁が競り合う際の押し開きに特化させることと、使い勝手の向上を課題として創作されたものである。
【課題を解決するための手段】
【０００６】
即ち、この考案の鉄骨骨組修正用工具は互いに逆向きのネジ方向としたネジ部を前後２箇所に有する作動ボルトと、上記の作動ボルトの前後のネジ部の各々に螺合される一対の移動片からなり、作動ボルトの回転操作用の頭部が位置する後方側の移動片の下端に梁部材のボルト孔に挿入可能な係止柱を突設した工具において、上記係止柱を移動片に対して螺着自在とする共に、螺着のための移動片のネジ孔を移動片の前後の複数箇所に設けたことを特徴とする。
【考案の効果】
【０００７】
よって、この考案の工具によれば機能が部材同士の押し開きに特化されてるいるので、使用方法がシンプルであり現場での使用に面倒がなく、新しい工具の使用に抵抗感のある作業者にも違和感を与えずに使ってもらうことが期待できる。又、係止柱を螺合により移動片に対して着脱自在とする共に、係止柱が螺合されるべき移動片のネジ孔を移動片の前後の複数箇所に設けたことにより、係止柱の差し替えにより工具と押し離しの対象部材との位置関係を調整することが可能となるので、現場の状況に応じて複数種の工具を使い分ける必要がなくなる効果を奏する。
【考案を実施するための最良の形態】
【０００８】
以下、この考案の工具１の具体的実施例を添付図面に基づいて説明する。図中符号１３は作動ボルトであり、逆向きのネジ方向としたネジ部１３Ｂ、１３Ａを前後２箇所に設けると共に、後端に回転操作用の頭部１４を設けている。頭部１４はこの実施例ではメガネレンチやモンキーレンチが係合可能なナット状とすると共に、これらの滑り止めのための鍔部１５が設けられる。
【０００９】
次に図中符号２及び６は前記の作動ボルト１３の回転に伴って移動する前後の移動片である。これらの移動片２及び６は前後方向に貫通する雌ネジにより作動ボルト１３のネジ部１３Ｂ、１３Ａに螺合され、上記ネジ部のネジ方向が互いに逆になっていることから、作動ボルトの回転により離隔又は近接方向に移動することになる。この実施例においては、上記の最大離隔距離は５０ｍｍを想定しているが、この考案が前提としている鉄骨の場合は競っても５ｍｍ〜１５ｍｍ程度なので、上記の離隔距離は修正のためには充分な距離である。
【００１０】
前方側の移動片２の両側面には、後方に向かって延長される一対の平鋼板製のガイド板４、４がボルト５、５により取り付けられる。上記のガイド板４、４は移動片同士の軸方向の回転を規制することと、部材の押し開きにより移動片間に負荷が加わった場合に作動ボルト１３が弓なりに撓むことを防止するためのものである。後方側の移動片６の両側面の上下には２対のローラ１１、１１及び１１、１１が軸支され、これらが転動自在にガイド板４、４の上下面を挟持することにより、ガイド板により規制される後方側の移動片の移動をスムーズにする。図中符号１０は上記の各ローラ１１の軸、同じく１２は抜け止めのための割りピンである。
【００１１】
後方側の移動片６の下端には梁部材のボルト孔に挿入可能な係止柱８が突設される。上記の係止柱８は先端に設けたネジ部９により移動片６に穿設したネジ孔に螺着されるが、この考案においては２つのネジ孔７Ａ、７Ｂを係止柱の前後に配することにより移動片６の差し替えにより係止柱と前方側移動片２との距離を調整可能としている。尚、この実施例においては梁部材のボルト孔に最適な外径の係止柱８を選択できるように、図５に示すように異なる外径の係止柱を用意している。例えば、上記のボルト孔が６分孔（内径２２ｍｍ）の場合は外径が２１．８ｍｍの係止柱が、同じく５分孔（内径１８ｍｍ）の場合は外径が１７．８ｍｍの係止柱が用意される。
【００１２】
尚、この実施例においては前方側の移動片２の後端を凸状に延長して、後方側の移動片６の前端に設けた凹部に入れ込むことにより、作動ボルト１３に対して前方側の移動片２が前進した際に作動ボルトのネジ部１３Ｂに対する移動片の雌ネジの螺合部分が少なくなることを防止している。又、後方側の移動片６の後端及び上端を凹状に切り欠くと共に、前方側の移動片２の上側の角部を切り欠くことにより工具全体の重量の軽減を図っている。尚、図示しないがこの工具には携帯時に落下防止のための紐を結ぶ吊り環を設けてもいことは勿論である。
【００１３】
以上の構成よりなるこの考案の鉄骨骨組修正用工具１は図７に示すように後方側の移動片６の下端の係止柱８を鉄骨Ｔのボルト孔Ｔ１に挿入すると共に、前方側の移動片２の前端の当接部３を対象部材Ｔ２（ここでは柱）に押し当てて作動ボルト１３の回転により前進させることにより競り合った部材を押し離すことができる。尚、この実施例においては前方側の移動片２の当接部３を断面三角状のテーパ面とすることにより、図６に示すように対象部材を斜め方向から押し離すことを可能としている。こうすることにより、対象部材Ｔ２は外に開かず内に向かって押されることになる。
【図面の簡単な説明】
【００１４】
【図１】この考案の工具の移動片同士の離隔途中の一部切り欠き側面図。
【図２】同上、平面図。
【図３】この考案の工具の移動片同士の近接状態の側面図
【図４】この考案の工具の移動片同士の離隔途中の側面図。
【図５】この考案の工具の係止柱の異なる実施例の側面図。
【図６】この考案の工具の使用例を示す平面図。
【図７】この考案の工具の使用例を示す平面図。
【符号の説明】
【００１５】
１              工具
２              前方側の移動片
６              後方側の移動片
８              係止柱
１３            作動ボルト
【図１】
0003113712.tif 000003
【図２】
0003113712.tif 000004
【図３】
0003113712.tif 000005
【図４】
0003113712.tif 000006
【図５】
0003113712.tif 000007
【図６】
0003113712.tif 000008
【図７】
0003113712.tif 000009